(57)【要約】【課題】伸縮性部材の引張り力によって脚周りのフィット性を向上させつつ、あるいは、装着時に装着者が上方へ引き上げても、吸収体と肌とのフィット性を保ち、脚周りにもしわなくフィットする吸収性物品を提供する。【解決手段】上記課題は、体液の吸収体と、この吸収体の側縁から外側へ延在する可撓性のサイドフラップ部とを有する吸収性物品において、前記サイドフラップ部の少なくとも側縁を含む部位に、側縁から幅方向中央側に向かう切り込みを跨いで、少なくとも前後方向に伸縮性を示す伸縮性部材からなるガセットを介在させて、前記サイドフラップ部が前後方向に連結されていることを特徴とする吸収性物品によって解決される。【選択図】図２
2018166681.tif 000002
【特許請求の範囲】
【請求項１】
体液の吸収体と、この吸収体の側縁から外側へ延在する可撓性のサイドフラップ部とを有する吸収性物品において、
前記サイドフラップ部の少なくとも側縁を含む部位に、側縁から幅方向中央側に向かう切り込みを跨いで、少なくとも前後方向に伸縮性を示す伸縮性部材からなるガセットが介在されており、前記サイドフラップ部が前後方向に連結されていることを特徴とする吸収性物品。
【請求項２】
前記ガセットは幅方向中央側から側縁にかけて平面視末広がりの形状である請求項１記載の吸収性物品。
【請求項３】
前記ガセットは、非接着部位を挟み切り込みの前後で前記サイドフラップ部と接着されている請求項２記載の吸収性物品。
【請求項４】
前記サイドフラップ部は括れ部を有し、前記ガセットは括れ部の股間部より後側にある請求項２記載の吸収性物品。
【請求項５】
前記サイドフラップ部は括れ部を有し、前記ガセットは括れ部の股間部より前側にある請求項２記載の吸収性物品。
【発明の詳細な説明】
【技術分野】
【０００１】
本発明は、サイドフラップの形状に特徴を有し、肌にフィットする吸収性物品に関する。
【背景技術】
【０００２】
夜用パッドや長時間装着向け昼用パッド（以下で単にパッドともいう）は排出される尿量が多いため、パッド自体を大きくするとともに臀部と脚周りを覆えるようにフラップを設けている。しかし、フラップを設けても、尿とりパッドは平面状で身体の凹凸に沿う形状にはなっていないため、装着時に脚回りフラップ部にしわが形成されやすく、しわによるフラップの外折れが漏れに繋ったり、フィット感の悪化を招いたりという問題がある。パッドには装着者の脚まわりの動きに追従させ、吸収体と肌とのフィット性を向上させることが求められていた（特許文献１、２）。
【先行技術文献】
【特許文献】
【０００３】
【特許文献１】特許第６０４４８１０号公報
【特許文献２】特許第４３６４０３８号公報
【発明の概要】
【発明が解決しようとする課題】
【０００４】
しかし従来品は、前後方向に連続させて伸縮シートを配置しているため吸収体も一緒に収縮してしまい、吸収体と肌とのフィット性が落ちてしまう問題があったり（特許文献１）、あるいは、特許文献２は、本体部が伸縮性を有するように前記本体部の全面を覆うように貼り付けられた伸縮性の脚周りシートを備え、脚周り開口端部の形状は、装着時における装着者の腹側の脚周りに適合する吸収性物品を開示するが、脚周り形状にフィットさせる具体的な手段は記載されていない（特許文献２）。加えて、本体部脚装着時に装着者の上方へ引き上げると、吸収体と肌とのフィット性が落ち、吸収体と肌との間に隙間ができて漏れが発生する場合があった。
【０００５】
そこで本発明の主たる課題は、伸縮性部材の引張り力によって脚周りのフィット性を向上させつつ、あるいは、装着時に装着者が上方へ引き上げても、吸収体と肌とのフィット性を保ち、脚周りにもしわなく製品をフィットさせることができる、例えば、尿とりパッドのような体液の吸収性物品を提供することにある。
【課題を解決するための手段】
【０００６】
上記課題を解決した本発明の吸収性物品は、体液の吸収体と、この吸収体の側縁から外側へ延在する可撓性のサイドフラップ部とを有する吸収性物品において、前記サイドフラップ部の少なくとも側縁を含む部位に、側縁から幅方向中央側に向かう切り込みを跨いで、少なくとも前後方向に伸縮性を示す伸縮性部材からなるガセットを介在させて、前記サイドフラップ部が前後方向に連結されていることを特徴とする吸収性物品である。
【０００７】
体液の吸収体と、この吸収体の側縁から外側へ延在する可撓性のサイドフラップ部とを有する吸収性物品は、装着時に装着者の上方へ引き上げられると、脚の形状に応じて幅方向に多様に働く引張り力の作用で吸収体にしわを発生し易すい。本発明の吸収性物品は、可撓性シートのサイドフラップ部の側縁が、側縁から幅方向中央側に向かう切り込みを跨いで、少なくとも前後方向に伸縮性を示す伸縮性材からなるガセットが介在し、その伸長によって幅方向全体にわたり、脚の形状に応じサイドフラップ側縁に近いほど伸長可能であり、吸収体が多様な方向に前後方向から傾き可能であって、しわなく製品を肌にフィットさせることができる吸収性物品を提供する。ガセットは、ある一定の空間を覆う布（基材という）の異なる方向の変位を許し、布の拘束を緩和して布面の自由な変形を確保するために追加される部材であり、当該ガセットは基材と互いの面端同士を接ぎ合わせ連続面を形成するように接がれて、襠（まち）を形成するものでもよく、基材と当て布のように当該ガセットは基材と重ね代を持ち、重ね代で対向する両面が連結され両面が布厚さ相当の段差のある表面を形成しつつ接がれ、ガセットを介在させてサイドフラップ部が前後方向に連結されるものでもよい。本発明の構成要素であるガセットは前記サイドフラップ部の少なくとも側縁を含む部位にあって、少なくとも前後方向に伸縮性を示す伸縮性部材からなる。伸縮性はガセットの材質によって、例えば、弾性シートを用いたり、糸ゴムを構成素材に含ませたり、材質自体が伸縮性を有する素材でなくとも紙にひだを折り込んだり、様々に構成可能である。すなわち、ガセットは、ガセットが付加される近傍の運動方向のずれを補う襠（まち）の概念を含み、より広くは伸縮性部材と、例えば、外装シートとは端面で接がれていても、面当て部材で重ね代で接がれていてもよい。ガセットは伸縮性を与えるひだ状の部材であってもよい。少なくとも前後方向に伸縮性を示すこのような伸縮性部材からなるガセットを介在させて、前記サイドフラップ部が前後方向に連結されていることを特徴とする吸収性物品が提供される。
【０００８】
他に、ガセットは幅方向中央側から前記サイドフラップ部の側縁にかけて平面視末広がりの形状である構成とすることができる。
【０００９】
上記構成からなる吸収性物品であれば側縁にかけ平面視末広がりの形状であるガセットはより伸長可能である。サイドフラップ部は幅方向内側より外側の方が前後方向からより傾いて引張られるため、等厚のガセットであればその形状によって幅方向内側より外側の方の伸長性を高くすると伸縮材の可動域が広くなり、脚周りにしわなく製品をフィットする吸収性物品を提供する。
【００１０】
他に、側縁から幅方向中央側に向かう切り込みを跨ぐ前記ガセットは、非接着部位を挟み切り込みの前後で前記サイドフラップ部と接着されている構成とすることができる。
【００１１】
サイドフラップ部は幅方向内側より外側の方が前後方向に対し引張り角度の大きい力が働き、中央から外側へ向けて作用する幅方向分力が大きく、前後方向に対し斜めの外力がサイドフラップ部を介して吸収体へ働く。切り込みの幅方向位置で力の向きと大きさが変わるが、側縁から幅方向中央側に向かう切り込みは、パッドを引き上げる時にパッドに働く力を前後方向斜め向きへ逃がすように前後へより広く開く。切り込みを跨いでサイドフラップを前後方向に連結するガセットは、切り込みの前後で非接着部位を挟みサイドフラップ部と接着されている。非接着部位を挟むのは非接着部位を伸長可能とするためであり、非接着部位の形状は中央側からサイドフラップ部ＳＦの側縁に向けて幅方向に平面視末広がりの形状となるように接着されている。このように切り込みの幅方向中央側から遠い位置でより伸長し易く、多様な方向に力を逃がすことができ、脚周りにしわなく製品をフィットする吸収性物品の具体的構成を提供する。
【００１２】
他に、サイドフラップ部は括れ部を有し、ガセットは括れ部の股間部より後側にある構成、かつ、ガセットは中央側からサイドフラップの側縁にかけ平面視末広がりの形状である構成とすることができる。
【００１３】
括れ部を有するサイドフラップ部の股間部から前側では幅方向中央側より外側の方が前後方向に対し引張り角度の大きい力が働き、中央から離れる外側へ向けて作用する分力が大きく、前後方向に対し斜めの外力がサイドフラップ部を介して吸収体へ働く。切り込みの幅方向位置で力の向きと大きさが変わる特性がある。本構成のように、股間部から後側に中央側から前記サイドフラップ部の側縁にかけ平面視末広がりの形状のガセットを配設する構成は、切り込みの幅方向位置で側縁に向かい次第に伸び代が増える構成であるから、パッドを引き上げる時に働く力が幅方向で変化しても追従可能である。股間部から後側へ寄った部位のサイドフラップ部に幅方向内側より外側の方が前後方向に対し引張り角度の大きい力が働いても、このように前記ガセットは股間部から後側にある構成、かつ、ガセットは中央側から前記サイドフラップ部の側縁にかけ平面視末広がりの形状である構成であれば、多様な方向に力を逃がすことができ、脚周りにしわなく製品をフィットする吸収性物品を提供する。
【００１４】
他に、括れ部を有するサイドフラップ部の場合には、ガセットは括れ部の股間部より前側にある構成、かつ、ガセットは中央側からサイドフラップ部の側縁にかけ平面視末広がりの形状である構成とすることができる。
【００１５】
括れ部を有するサイドフラップ部の股間部から前側では幅方向内側より外側の方が前後方向に対し引張り角度の大きい力が働き、中央から外側へ向けて作用する分力が大きく、前後方向に対し斜めの外力がサイドフラップ部を介して吸収体へ働く。切り込みの幅方向位置で力の向きと大きさが変わる。本構成のように、股間部から前側に中央側から前記サイドフラップ部の側縁にかけ平面視末広がりの形状のガセットを配設する構成は、切り込みの幅方向位置で側縁に向かい次第に伸び代が増える構成であるから、パッドを引き上げる時に働く力が幅方向で変化しても追従可能である。股間部から前側へ寄った部位のサイドフラップ部に幅方向内側より外側の方が前後方向に対し引張り角度の大きい力が働いても、このように前記ガセットは股間部から前側にある構成、かつ、ガセットは中央側から前記サイドフラップ部の側縁にかけ平面視末広がりの形状である構成であれば、多様な方向に力を逃がすことができ、脚周りにしわなく製品をフィットする吸収性物品を提供する。
【発明の効果】
【００１６】
以上のとおり本発明によれば、伸縮性部材を備え脚周りのフィット性を高め、あるいは、装着時に装着者の上方へ引き上げても、吸収体と肌とのフィット性を保ち脚周りにもしわなく製品をフィットさせることができる等の利点がもたらされる。
【図面の簡単な説明】
【００１７】
【図１】吸収性物品の一実施形態であるパッドタイプ使い捨ておむつの展開状態の内面側を示す模式平面図である。
【図２】要部のみを示す模式平面図である。
【図３】図１のＹ−Ｙ断面図である。
【図４】図２の一ガセットの拡大模式斜視図である。
【図５】図４の構成で装着時引き上げた場合の模式斜視図である。
【図６】図４の構成でガセット連結部を示す模式斜視図である。
【図７】図６の構成で装着時引き上げた場合の模式斜視図である。
【図８】図４の構成でガセットの伸縮材を複数の線状形弾性体とする（ａ）模式斜視図（ｂ）線状形弾性体の配置を示す連結前のガセットの模式平面図である。
【図９】図４の構成で三角形のガセット部の模式斜視図である。
【図１０】矩形のガセットの模式斜視図である。
【図１１】図１のＸ−Ｘ断面図で（ａ）ガセットをバックシート、外装シートの間に配設する概略断面図、（ｂ）ガセットをバックシート、ギャザーの間に配設する概略断面図、（ｃ）ガセット部を外装シートの外面側に配設する概略断面図である。
【図１２】切り込みの変形例を示す要部模式平面図である。
【００１８】
以下、本発明の一実施形態について添付図面を参照しながら詳説する。なお、本発明の用語のうち「股間部」とは使用時に身体の股間と対応させる部分を意味し、製品によって図示形態のように物品の前後方向中央若しくはその近傍にあり、物品の前後方向中央の所定範囲である。物品の前後方向中間あるいは吸収体の前後方向中間に幅の狭い括れ部分を有する場合は、いずれか一方又は両方の括れ部分の最小幅部位を前後方向中央とする所定の前後方向範囲を意味する。また、「前側部分（腹側部分）」は股間部よりも前側の部分を意味し、「後側部分（背側部分）」は股間部よりも後側の部分を意味し、吸収体の前後方向中間に幅の狭い括れ部分を有する場合は、括れ部分から左右への延在する股間部よりも前側の範囲を「前側部分（腹側部分）」、括れ部分から左右への延在する股間部よりも後側の範囲を「後側部分（背側部分）」という。  
【００１９】
図１〜図４は、本発明に係る吸収性物品であるパッドタイプ使い捨ておむつ（以下、パッドともいう）２００の一実施形態を示す図である。このパッドタイプ使い捨ておむつ２００は、尿等の体液の吸収体２３と、この吸収体２３の側縁２３ｅから外側へ延在する可撓性のサイドフラップ部ＳＦとを有する吸収性物品である。前記サイドフラップ部ＳＦの少なくとも側縁ＳＦｅを含む部位に、少なくとも前後方向ＬＤに伸縮性を示す伸縮性部材からなるガセット１００を介在させて、前記サイドフラップ部ＳＦが前後方向ＬＤに連結されていることを特徴とする吸収性物品である。
【００２０】
この実施形態に係るパッドタイプ使い捨ておむつ２００の諸元は以下である。このパッドタイプ使い捨ておむつ２００は、股間部Ｃ２と、その前後両側に延在する前側部分Ｆ２及び後側部分Ｂ２とを有する。各部の寸法は適宜定めることができ、例えば、物品全長Ｌ（前後方向ＬＤ長さ）は３５０〜７００ｍｍ程度、全幅Ｗ１は１３０〜４００ｍｍ程度（ただし、おむつの吸収面の幅より広い）とすることができ、この場合における股間部Ｃ２の前後方向長さは１０〜１５０ｍｍ程度、前側部分Ｆ２の前後方向長さは５０〜３５０ｍｍ程度、及び後側部分Ｂ２の前後方向長さは５０〜３５０ｍｍ程度とすることができる。また、股間部Ｃ２の幅Ｗ３は、大人用の場合、１５０ｃｍ以上、特に２００〜２６０ｃｍ程度とすることができる。
【００２１】
パッドタイプ使い捨ておむつ２００の可撓性シートは、前記吸収体２３を肌側から覆う透液性トップシート２２と、前記吸収体２３を衣服側から覆う液不透過性バックシート２１と、前記バックシート２１の外側へ積層される外装シート２７からなって吸収体２３の側縁２３ｅから外側、つまり幅方向の図の左右方向へ延在している。
【００２２】
吸収性物品において、吸収体２３の側縁２３ｅから外側へ延在する可撓性シートのうち吸収体２３の側縁２３ｅから外側へ延在している部分をサイドフラップ部ＳＦという。図１〜４に示す実施形態で、可撓性シートとは、トップシート２２、バックシート２１が吸収体２３を挟み左右へ延在し、バックシート２１の裏側には外装シート２７が積層されて、前側後ろ側で左右にはみ出している。そして、図１〜４に示す実施形態は、吸収体２３の側縁から外側へ延在する可撓性シートのサイドフラップＳＦの側縁ＳＦｅが少なくとも前後方向に伸縮性を示す伸縮性部材からなるガセット１００によって連結されていることを特徴とする吸収性物品、を示す。
【００２３】
吸収体２３の衣服側（以下で裏側ともいう）には、液不透過性バックシート２１が吸収体２３の周縁より若干食み出すように設けられている。液不透過性バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２４】
また、液不透過性バックシート２１の外面は、不織布からなる外装シート２７により覆われており、この外装シート２７は、所定の食み出し幅をもってバックシート２１の周縁より外側に食み出している。外装シート２７としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２５】
吸収体２３の表側は、透液性トップシート２２により覆われている。図示形態ではトップシート２２の側縁から吸収体２３が一部食み出しているが、吸収体２３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２６】
トップシート２２と吸収体２３との間には、中間シート２５を介在させるのが望ましい。この中間シート２５は、吸収体２３により吸収した尿の逆戻りを防止するために設けられるものであり、保水性が低く、且つ透液性の高い素材、例えば各種の不織布やメッシュフィルム等を用いるのが望ましい。トップシート２２の前端を０％としトップシート２２の後端を１００％としたとき、中間シート２５の前端は０〜１１％の範囲に位置しているのが好ましく、中間シート２５の後端は９２〜１００％の範囲に位置しているのが好ましい。また、中間シート２５の幅Ｗ４は後述する吸収体２３の括れ部分２３ｎの最小幅Ｗ５の５０〜１００％程度であるのが好ましい。
【００２７】
パッドタイプ使い捨ておむつ２００の前後方向両端部では、外装シート２７および透液性トップシート２２が吸収体２３の前後端よりも前後両側にそれぞれ延在されて貼り合わされ、吸収体２３の存在しないエンドフラップ部ＥＦが形成されている。パッドタイプ使い捨ておむつ２００の両側部では、可撓性シートである外装シート２７、バックシート２１、トップシート２２が吸収体２３の側縁２３ｅよりも外側にそれぞれ延在されている。吸収体２３の側縁２３ｅよりも外側は吸収体２３が存在していない領域であり、サイドフラップ部ＳＦという。本実施形態では、この左右へ伸びる延在部からトップシート２２の左右にある側部までの部分の内面には、立体ギャザー２４を形成するギャザーシート２４ｓの幅方向外側の部分２４ｘが前後方向全体にわたり貼り付けられている。これら貼り合わせ部分は、ホットメルト接着剤、ヒートシール、超音波シールにより形成できる。外装シート２７を設けない場合、外装シート２７に代えて液不透過性バックシート２１をサイドフラップ部ＳＦ左右縁まで延在させ、サイドフラップ部ＳＦの外面側を形成することができる。
【００２８】
ギャザーシート２４ｓの素材としては、プラスチックシートやメルトブローン不織布を使用することもできるが、肌への感触性の点で、不織布にシリコンなどにより撥水処理をしたものが好適に使用される。
【００２９】
ギャザーシート２４ｓの幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００３０】
また、両ギャザーシート２４ｓは、幅方向外側の部分２４ｘが前後方向全体にわたり物品内面（図示形態ではトップシート２２表面および外装シート２７内面）に貼り合わされて固定されるとともに、幅方向中央側の部分２４ｃが、前後方向の両端部では物品内面（図示形態ではトップシート２２表面）に貼り合わされて固定され、かつ前後方向の両端部間では物品内面（図示形態ではトップシート２２表面）に固定されていない。この非固定部分は、図１に示されるように、物品内面（図示形態ではトップシート２２表面）に対して弾力的に起立する漏れ防止壁となる部分であり、その起立基端２４ｂはギャザーシート２４ｓにおける幅方向外側の固定部分２４ｘと内側の部分２４ｃとの境に位置する。
【００３１】
吸収体２３としては、パルプ繊維の積繊体、セルロースアセテート等のフィラメントの集合体、あるいは不織布を基本とし、必要に応じて粒子状等の高吸収性ポリマーを混合、固着等してなるものを用いることができる。高吸収性ポリマー粒子を混合する場合等、必要に応じて、吸収体２３はクレープ紙等の包装シート２６により包むことができる。また、吸収体２３の形状は、股間部を含む括れ部を有し相対的に前側の部分が後側の部分よりも幅狭な帯状、あるいは長方形状、台形状等、適宜の形状とすることができる。
【００３２】
吸収体２３における繊維目付け及び高吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００３３】
吸収体２３は、前側部分Ｆ２から後側部分Ｂ２にかけて延在されており、図示形態では股間部Ｃ２を含む前後方向中間の前後の所定部分が幅の狭い括れ部分２３ｎとして形成されている。この括れ部分２３ｎの最小幅Ｗ５は、括れ部分２３ｎの前後に位置する非括れ部分の幅Ｗ２の５０〜６５％程度であるのが好ましい。また、物品前端を０％とし物品後端を１００％としたとき、括れ部分２３ｎの前端は１０〜２５％の範囲に位置しているのが好ましく、括れ部分２３ｎの後端は４０〜６５％の範囲に位置しているのが好ましく、括れ部分２３ｎの最小幅Ｗ５となる部位（最小幅部位）は２５〜３０％の範囲に位置しているのが好ましい。
【００３４】
特徴的には、本吸収性物品であるバッド２００は、図１及び図２に示すように、サイドフラップ部ＳＦの側縁を含む部位に、側縁から幅方向中央側に向かう切り込みを跨いで、少なくとも前後方向に伸縮性を示す伸縮性部材からなるガセット１００Ａ，１００Ｂ並びに１０１Ａ，１０１Ｂ（以下、１００等とも記し、図５〜１１でガセット１００で示されている）が介在されており、吸収体２３の側縁から外側へ延在する外装シート２７、バックシート２１、トップシート２２等の可撓性シートからなるサイドフラップ部ＳＦが前後方向に連結されていることを特徴とする吸収性物品である。
【００３５】
前記サイドフラップ部ＳＦには側縁ＳＦｅから幅方向中央側に向かう切り込み１１０、１１１（（図２で、１１０Ａ、１１０Ｂ，１１１Ａ，１１１Ｂの直線で図示する（以下、単に１１０等とも記す））が可撓性シートに配設されており、図５に示すように切り込み１１０の両縁部１１０Ｘ，１１０Ｙが少なくとも前後方向に伸縮性を示す伸縮性部材からなるガセット１００によって前後方向に連結されている。ガセット１００は、サイドフラップ部ＳＦの側縁ＳＦｅを含む部位に、外装シートの外面（衣服側）に非接着部位を挟み連結され、サイドフラップ部ＳＦの前後方向を連結している。
【００３６】
図５に示すように、ガセット１００は平面視で三角形１００であってもよく、ガセット１００は中央側から前記サイドフラップ部ＳＦの側縁ＳＦｅに向けて平面視末広がりの形状であるから、側縁ＳＦｅに近い部位ほどガセット１００はより大きく伸長可能である。サイドフラップ部ＳＦは幅方向内側より外側の方が前後方向から傾いて引張られるため、等厚のガセットであればその形状によって幅方向内側より外側の方の伸長性を高くすると、脚周りにしわなく製品をフィットする吸収性物品を提供する。
【００３７】
本発明の一実施形態に係る使い捨てパッドタイプおむつの装着時の発明の作用効果を以下詳述する。サイドフラップ部ＳＦには、幅方向内側より外側の方が前後方向ＬＤに対し引張り角度の大きい力が働き、中央から外側へ向けて作用する分力が大きく、前後方向ＬＤに対し斜めの外力がサイドフラップ部ＳＦを構成する可撓性シートを介して吸収体２３へ働く。切り込み１１０等の幅方向位置で力の向きと大きさが変わる。本構成のように、側縁から幅方向中央側に向かう切り込み１１０はパッドを引き上げる時にパッドに働く各々の力の方向を前後方向斜め向きへ逃がす作用をし、切り込みと切り込みの対向する端面１１０Ｘ，１１０Ｙを前後方向へ連結する伸縮性材（例えば、弾性シートからなる）からなるガセット１００は中央側からサイドフラップ部ＳＦの側縁に向けて幅方向に平面視末広がりの形状、例えば、三角形とする。このようなガセット１００は、切り込み１１０の幅方向中央側から遠い位置ほどより伸長し易い構成である。一実施形態では、図５の構成で、切り込み１１０の幅方向中央側寄りではＺ１の伸長であるのに対し、側縁寄りではＺＯの広がりまでより大きく伸長可能である。このようにサイドフラップ部ＳＦは側縁から幅方向中央側に向かう切り込み１１０を跨いでサイドフラップを前後方向に連結するガセット１００を有し、切り込みの両縁部１１０Ｘ，１１０Ｙ（図５参照）が少なくとも前後方向に伸縮性を示す伸縮性部材からなるガセット１００によって連結されている構成、かつ、ガセット１００は中央側からサイドフラップ部ＳＦの側縁ＳＦｅに向けて幅方向ＷＤに平面視末広がりの形状である構成であれば、多様な方向に力を逃がすことができ、脚周りにしわなく製品をフィットする吸収性物品を提供する。
【００３８】
一実施形態では、図１，図２に示されているように、吸収体２３の括れ部２３ｎの側縁平面視形状に対応し、サイドフラップ部ＳＦも括れ部ＳＦｎを有する。後述のように括れ部の形状に応じて引張り力の集中が発生するためガゼットの配置に工夫の余地がある。一実施形態では、前記ガセット１００は、サイドフラップの括れ部ＳＦｎの股間部から前側に１００Ａ，１００Ｂ、後側に１０１Ａ，１０１Ｂと幅方向対称に股間部を挟み前後方向の少なくともいずれかに２個ずつあってもよい。股間部から前側、あるいは、後側は、幅方向内側より外側の方が前後方向に対し引張り角度の大きい力が働き、中央から離れる外側へ向けて作用する分力が大きく、前後方向に対し斜めの外力がサイドフラップ部を介して吸収体へ働く性質がある。本構成のように、サイドフラップの括れ部ＳＦｎの股間部から前側に中央側から前記サイドフラップ部ＳＦの側縁にかけ平面視末広がりの形状のガセット１００Ａ，１００Ｂを幅方向中央対称２個配設する構成は、切り込み１１０の幅方向位置で側縁に向かい次第に伸び代が増える構成であるから、パッド２００を引き上げる時に働く力が幅方向で変化しても追従可能である。本構成のように、サイドフラップの括れ部ＳＦｎの股間部Ｃ２から後側に中央側から前記サイドフラップ部ＳＦの側縁にかけ平面視末広がりの形状のガセット１０１Ａ，１０１Ｂを幅方向中央対称２個配設する構成は、切り込み１１０の幅方向位置で側縁ＳＦｅに向かい次第に伸び代が増える構成であるから、パッド２００を引き上げる時に働く力が幅方向で変化しても追従可能である。より詳細には、股間部から前側とは、股間部Ｃ２と前側Ｆ２の境界近傍であり当該境界を含む。股間部Ｃ２から後側寄りとは、股間部Ｃ２と後側Ｂ２の境界近傍の後側Ｂ２部位をいい当該境界を含む。
サイドフラップ部ＳＦの少なくとも側縁ＳＦｅを含む部位に、少なくとも前後方向に伸縮性を示す伸縮性部材からなるガセット１００を介在させて力を左右へ逃がすように切り込み外側の伸長性は中心側よりも１．５倍高くするとよい。
【００３９】
ガセット１００は、図４〜１０に示すように、サイドフラップ部ＳＦに側縁から幅方向中央側に向かう切り込み１１０を設ける。一実施形態では、図６で示されるように、切り込み１１０のあるサイドフラップ部ＳＦの側縁ＳＦｅを含む部位に平面視末広がりの形状である三角形のガセット１００は、切り込み１１０の前後で非接着部位を挟みサイドフラップＳＦとガセットの接着領域１０２，１０３で接着し、非接着部位を挟み切り込み１１０の前後で前記サイドフラップＳＦと接着面を形成してもよい。一実施形態の変形例では、図１０に示されるように、ガセットは矩形でもよく、矩形の場合、切り込みを挟む非接着部位の離隔距離は側縁部にかけて漸増するように、接着部位で伸縮性部材の伸長能力を無効化し、接着後のガセット形状は側縁を底辺とする例えば、三角形と側縁にかけて末広がりとするのが好ましい。接着は、超音波によっても、ホットメルティング接着によってもよい。図１０のハッチング部位でサイドフラップ部ＳＦとガセット１００が接着され、接着されていないガセット１００の伸縮部位が引張り力に応じて伸長する。切り込みは伸縮性部形状は、三角形であるから中央よりの伸長ＺＩに比し切り込み外端側の伸長Ｚ０がより大きく伸長しやすい構成であり、展開時無負荷の状態で図４、図６に示されるガセット部位は、引張り力の負荷によって図５と図７に示されるように切り込み外端側で大きく伸長可能であって、脚まわりの動きに追従可能である。
【００４０】
ガセット１００の伸縮部位は、三角形領域に底辺に平行に線状形の弾性体、例えば、糸ゴムを２枚のシート間に接着等の結合手段によって埋め込んでもよく、末広がりにより側縁部の糸ゴム長がより長く、外側ほど、より大きく伸長可能に構成できる（図８（ａ）（ｂ）参照）。
【００４１】
切り込み１１０は図９、図１０に示されるようにガセット１００より幅方向側縁寄りにより短く、ギャザーシート立ち上がり起点より内側から側縁に向けて開口可能な切り込みでもよい。
【００４２】
図１０に示されるようにガセット１００の連結前形状は、矩形でもよいが、既述のとおり非接着領域の形状により切り込み外端側に向けてより伸長可能とする構成とされるのが好ましい。図１０では接着領域１０２，１０３を側縁に向けて狭めて非接着領域の形状をサイドフラップ部の側縁ＳＦｅにかけて平面視末広がりの形状とする。この非接着領域は側縁部で、自然長で５ｍｍ以上、かつ、伸長時に１５ｍｍ以上とするのが好ましい。
【００４３】
ガセット１００の層間の積層相対位置は、図１１に示す図１のＸ−Ｘ断面図で示されているように、（ａ）ガセット１００をバックシート２１、外装シート２７の間に配設してもよく、（ｂ）ガセット１００をバックシート２１、ギャザーシート２４ｓの間に配設してもよく、あるいは、（ｃ）ガセット１００を弾性シート１４０又は糸ゴムを不織布１４１，１４２で挟み積層し、外装シート２７の外面側に、例えば、超音波又はホットメルトによって接着してもよい。構成（ｃ）では図示されるように側縁から幅方向中央側に向かう切り込み１１０によって切断されるサイドフラップ部ＳＦは、より詳細には、ギャザーシート２４ｓ、バックシート２１、外装シート２７が切り込み１１０によって切り込まれ、端面１１０Ｘ、１１０Ｙを形成しているが、ガセット１００は接着領域１０２，１０３を介して左右のサイドフラップ部ＳＦの外面にある外装シート２７とは接着されており、左右二つにサイドフラップ部ＳＦの外装シート２７を接ぐガセット１００の介在により、サイドフラップ部が前後方向に連結されている（図１１（ｃ）参照）。可撓性サイドフラップ部ＳＦの積層シート構成との関係では、（ａ）ガセット１００とバックシート／外装シートの少なくともいずれか一方との接着とされるものでもよく、（ｂ）ガセット１００とバックシート／ギャザーシートの少なくともいずれか一方との接着によって切り込み前後のサイドフラップＳＦが連結されるものでもよい（図１１（ａ），（ｂ）参照）。
【００４４】
外装シートの展開時において平面視前後方向に切り込み１１０は、幅方向で対になる（１１０Ａ，１１０Ｂ）又は（１１１Ａ，１１１Ｂ）のように、図１、図２では、前後方向中央に向かい開く傾きであるが、傾きは、図１２に示すように逆に、幅方向で対になる二つの切り込み（１１０Ａ，１１０Ｂ）又は（１１１Ａ，１１１Ｂ）が前後方向端に向かい開く傾きでもよい。伸縮材の材質、厚み、切り込みを跨ぐ伸縮材の長さによって伸長の難易があり、吸収体の物理的性質、形状により、伸長し易ければ、前後方向端に向かい開く傾きの切り込みによっても脚まわりの動きに追従するし、より伸長しにくい材質から成れば、前後方向中央に向かい開く傾きとしてより大きな角度で傾き易く、脚まわりの動きに追従し易く好適な場合もある。
ガセット１００はサイドフラップＳＦの括れ部ＳＦｎの股間部Ｃ２から前側Ｆ２、後側Ｂ２のそれぞれ左右の２箇所（背側と腹側の脚の付け根部分）以上あることが望ましいが  いずれか一方のみでもよい。
【００４５】
＜明細書中の用語の説明＞
明細書中で以下の用語が使用される場合、明細書中に特に記載が無い限り、以下の意味を有するものである。
・「前後（縦）方向」とは腹側（前側）と背側（後側）を結ぶ方向を意味し、「幅方向」とは前後方向と直交する方向（左右方向）を意味する。
・「表側」とは、肌側を意味する。
・「裏側」とは、衣服側を意味する。
・「展開状態」とは、収縮や弛み無く平坦に展開した状態を意味する。
・「伸長」とは、自然長からの伸びを意味する。
・「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。
【産業上の利用可能性】
【００４６】
本発明は、パッドタイプ使い捨ておむつ、パンツタイプ若しくはテープタイプ使い捨ておむつ等の、使い捨ておむつの他、吸収性物品全般に利用できるものである。
【符号の説明】
【００４７】
Ｂ２…後側部分、Ｃ２…股間部、Ｆ２…前側部分、ＳＦ…サイドフラップ部、ＳＦｅ…側縁、ＳＦｎ…括れ部、２３…吸収体、２３ｅ…吸収体の側縁、２００…パッドタイプ使い捨ておむつ、１００…ガセット、１００Ａ，１００Ｂ…ガセット、１０１Ａ，１０１Ｂ…ガセット、１１０…切り込み、１１０Ａ，１１０Ｂ…切り込み、１１１Ａ，１１１Ｂ…切り込み。
【図１】
2018166681.tif 000003
【図２】
2018166681.tif 000004
【図３】
2018166681.tif 000005
【図４】
2018166681.tif 000006
【図５】
2018166681.tif 000007
【図６】
2018166681.tif 000008
【図７】
2018166681.tif 000009
【図８】
2018166681.tif 000010
【図９】
2018166681.tif 000011
【図１０】
2018166681.tif 000012
【図１１】
2018166681.tif 000013
【図１２】
2018166681.tif 000014